(57)【要約】  ＭＤＴ測定ログ送信方法は、第１のシグナリングベアラを介してネットワーク側に利用可能性表示を送信することと、第２のシグナリングベアラを介してネットワーク側によって送信されたレポート表示メッセージを受信することと、第３のシグナリングベアラを決定し、第３のシグナリングに基づいてネットワーク側にログタイプＭＤＴ測定ログ情報を送信することと、を含み、前記利用可能性表示は、ログタイプＭＤＴ測定ログ情報が格納されたことを前記ネットワーク側に示すために使用され、前記レポート表示メッセージは、ログタイプＭＤＴ測定ログ情報が報告されたことを示すために使用される。解決策は、ＭＮリンクまたはＳＮリンクを介してＭＤＴ測定ログを報告し、それによってＭＤＴ測定結果を時間内に報告する。【選択図】図１
2022502887.tif 000002
【特許請求の範囲】
【請求項１】
最小化ドライブテスト（ＭＤＴ）測定ログ送信方法であって、
第１のシグナリングベアラを介してネットワーク側に利用可能性表示を送信することと、
第２のシグナリングベアラを介して前記ネットワーク側からレポート表示メッセージを受信することと、
第３のシグナリングベアラを決定し、前記第３のシグナリングベアラを介して前記ネットワーク側にログＭＤＴ測定のログ情報を送信することと、
を含み、
前記利用可能性表示は、ログＭＤＴ測定の前記ログ情報が格納されたことを前記ネットワーク側に示すために使用され、前記レポート表示メッセージは、ログＭＤＴ測定の前記ログ情報を報告することを示すために使用される、方法。
【請求項２】
前記第３のシグナリングベアラを決定することは、前記第２のシグナリングベアラに基づいて前記第３のシグナリングベアラを決定することを含む、請求項１に記載の方法。
【請求項３】
前記第２のシグナリングベアラに基づいて前記第３のシグナリングベアラを決定することは、前記第３のシグナリングベアラが前記第２のシグナリングベアラと同じであることを含む、請求項１に記載の方法。
【請求項４】
前記第３のシグナリングベアラを決定することは、
前記ネットワーク側から無線リソース制御（ＲＲＣ）シグナリングを受信することと、
前記ＲＲＣシグナリングに基づいて前記第３のシグナリングベアラを決定することと、
を含み、
前記ＲＲＣシグナリングは、前記第３のシグナリングベアラの関連情報を含む、
請求項１に記載の方法。
【請求項５】
前記第３のシグナリングベアラの前記関連情報は、少なくとも１つの無線アクセス技術（ＲＡＴ）タイプおよび少なくとも１つの対応するシグナリングベアラを含む、請求項４に記載の方法。
【請求項６】
前記第３のシグナリングベアラの前記関連情報は、データサイズの閾値を含む、請求項４に記載の方法。
【請求項７】
前記ＲＲＣシグナリングに基づいて前記第３のシグナリングベアラを決定することは、ログＭＤＴ測定の前記ログ情報に対応するデータサイズが前記データサイズの閾値を超えたとき、ログＭＤＴ測定の前記ログ情報に対応するＲＡＴタイプおよびあらかじめ設定された基準に基づいて前記第３のシグナリングベアラを決定することを含み、前記あらかじめ設定された基準は、少なくとも１つのＲＡＴタイプおよび少なくとも１つの対応するシグナリングベアラを含む、請求項６に記載の方法。
【請求項８】
前記第３のシグナリングベアラを決定することは、ログＭＤＴ測定の前記ログ情報に対応するＲＡＴタイプおよびあらかじめ設定された基準に基づいて前記第３のシグナリングベアラを決定することを含み、前記あらかじめ設定された基準は、少なくとも１つのＲＡＴタイプおよび少なくとも１つの対応するシグナリングベアラを含む、請求項１に記載の方法。
【請求項９】
前記利用可能性表示は、ログＭＤＴ測定の前記ログ情報に対応するＲＡＴタイプをさらに示す、請求項１に記載の方法。
【請求項１０】
前記ＲＡＴタイプは、２Ｇ、３Ｇ、４Ｇ、５Ｇまたは６Ｇのうちの少なくとも１つを含む、請求項９に記載の方法。
【請求項１１】
前記第１のシグナリングベアラ、前記第２のシグナリングベアラまたは前記第３のシグナリングベアラは、シグナリング無線ベアラ（ＳＲＢ）またはスプリットＳＲＢのいずれか１つを含む、請求項１に記載の方法。
【請求項１２】
前記ＳＲＢは、ＳＲＢ１、ＳＲＢ２またはＳＲＢ３のいずれか１つを含む、請求項１１に記載の方法。
【請求項１３】
前記スプリットＳＲＢは、スプリットＳＲＢ１またはスプリットＳＲＢ２のいずれか１つを含む、請求項１１に記載の方法。
【請求項１４】
第１のシグナリングベアラを介してネットワーク側に利用可能性表示を送信するように構成された第１の送信回路であって、前記利用可能性表示は、ログ最小化ドライブテスト（ＭＤＴ）測定のログ情報が格納されたことを前記ネットワーク側に示すために使用される、第１の送信回路と、
第２のシグナリングベアラを介して前記ネットワーク側からレポート表示メッセージを受信するように構成された受信回路であって、前記レポート表示メッセージは、ログＭＤＴ測定の前記ログ情報を報告することを示すために使用される、受信回路と、
第３のシグナリングベアラを決定し、前記第３のシグナリングベアラを介して前記ネットワーク側にログＭＤＴ測定の前記ログ情報を送信するように構成された第２の送信回路と、
を備える、端末。
【請求項１５】
前記第２の送信回路は、前記第２のシグナリングベアラに基づいて前記第３のシグナリングベアラを決定するように構成される、請求項１４に記載の端末。
【請求項１６】
前記第３のシグナリングベアラは、前記第２のシグナリングベアラと同じである、請求項１４に記載の端末。
【請求項１７】
前記第２の送信回路は、
前記ネットワーク側から無線リソース制御（ＲＲＣ）シグナリングを受信し、かつ
前記ＲＲＣシグナリングに基づいて前記第３シグナリングベアラを決定するように構成され、
前記ＲＲＣシグナリングは、前記第３のシグナリングベアラの関連情報を含む、請求項１４に記載の端末。
【請求項１８】
前記第３のシグナリングベアラの前記関連情報は、少なくとも１つの無線アクセス技術（ＲＡＴ）タイプおよび少なくとも１つの対応するシグナリングベアラを含む、請求項１７に記載の端末。
【請求項１９】
前記第３のシグナリングベアラの前記関連情報は、データサイズの閾値を含む、請求項１７に記載の端末。
【請求項２０】
前記第２の送信回路は、ログＭＤＴ測定の前記ログ情報に対応するデータサイズが前記データサイズの閾値を超えたとき、ログＭＤＴ測定の前記ログ情報に対応するＲＡＴタイプおよびあらかじめ設定された基準に基づいて前記第３のシグナリングベアラを決定するように構成され、
前記あらかじめ設定された基準は、少なくとも１つのＲＡＴタイプと少なくとも１つの対応するシグナリングベアラを含む、請求項１９に記載の端末。
【請求項２１】
前記第２の送信回路は、ログＭＤＴ測定の前記ログ情報に対応するＲＡＴタイプおよびあらかじめ設定された基準に基づいて前記第３のシグナリングベアラを決定するように構成され、
前記あらかじめ設定された基準は、少なくとも１つのＲＡＴタイプおよび少なくとも１つの対応するシグナリングベアラを含む、請求項１４に記載の端末。
【請求項２２】
前記利用可能性表示は、ログＭＤＴ測定の前記ログ情報に対応するＲＡＴタイプをさらに示す、請求項１４に記載の端末。
【請求項２３】
前記ＲＡＴタイプは、２Ｇ、３Ｇ、４Ｇ、５Ｇまたは６Ｇのうちの少なくとも１つを含む、請求項２２に記載の端末。
【請求項２４】
前記第１のシグナリングベアラ、前記第２のシグナリングベアラ、または前記第３のシグナリングベアラは、シグナリング無線ベアラ（ＳＲＢ）またはスプリットＳＲＢのいずれか１つを含む、請求項１４に記載の端末。
【請求項２５】
前記ＳＲＢは、ＳＲＢ１、ＳＲＢ２、またはＳＲＢ３のいずれか１つを含む、請求項２４に記載の端末。
【請求項２６】
前記スプリットＳＲＢは、スプリットＳＲＢ１またはスプリットＳＲＢ２のいずれか１つを含む、請求項２４に記載の端末。
【請求項２７】
コンピュータ命令が内部に記憶されている、不揮発性または非一時的なコンピュータ可読記憶媒体であって、前記コンピュータ命令が実行されると、請求項１から１３のいずれか一項に記載の方法が実行される、不揮発性または非一時的なコンピュータ可読記憶媒体。
【請求項２８】
メモリとプロセッサとを備える端末であって、前記メモリは、内部にコンピュータ命令を記憶し、前記プロセッサが前記コンピュータ命令を実行すると、請求項１から１３のいずれか一項に記載の方法が実行される、端末。
【発明の詳細な説明】
【関連出願】
【０００１】
本出願は、２０１８年８月３１日に出願された「ＭＤＴ測定ログ送信方法、端末および可読記憶媒体」という名称の中国特許出願第２０１８１１０１６４３９．８号の優先権の利益を主張する。当該中国特許出願の全開示は、本明細書の一部を構成するものとして本件明細書に援用する。
【技術分野】
【０００２】
本開示は、一般に、通信分野、より具体的には、最小化ドライブテスト（Minimization Drive Test（ＭＤＴ））測定ログ送信方法、端末、および可読記憶媒体に関する。
【背景技術】
【０００３】
移動体通信システムでは、ネットワークの計画と運用および保守に手動で関与するために、ネットワーク自己最適化メカニズムが導入されている。ネットワークは統計に基づいてパラメータを自動的に最適化するため、ネットワークの構築と運用のコストが削減される。
【０００４】
ネットワーク自己最適化メカニズムでは、ネットワークの運用と保守のコストを削減するために、ネットワークはユーザ端末（User Equipment（ＵＥ））が測定結果を報告するように構成し、それによって手動のドライブテスト作業を減らすことができる。たとえば、ＭＤＴテクノロジはロングタームエヴォリューション（Long Term Evolution（ＬＴＥ））システムに導入されている。ＭＤＴ測定は、即時ＭＤＴ（Immediate MDT）とログＭＤＴ（Logged MDT）の２つのタイプに分類される。即時ＭＤＴの場合、ＵＥは、無線リソース管理（Radio Resource Management（ＲＲＭ））を多重化する方法での接続状態でＭＤＴ測定とレポートを実行する。レポート条件が満たされると、ＵＥはすぐに無線基地局（evolved Node B（ｅＮＢ））または基地局制御局（Radio Network Controller（ＲＮＣ））に測定結果をレポートする。ログＭＤＴの場合、ＵＥはＭＤＴ測定結果をアイドル状態または非アクティブ状態で保存し、ＭＤＴ測定結果をその後の接続状態で報告する。
【０００５】
ネットワーク容量を増やすために、デュアルコネクティビティ（Dual Connectivity）メカニズムが無線ネットワークに導入された。デュアルリンクでは、コアネットワーク（Core Network（ＣＮ））とのインタフェースを持ち、ＣＮによってモバイルアンカーポイントと見なされる基地局は、マスタノード（Master Node（ＭＮ））と呼ばれる。ＵＥに追加の無線リソースを提供するノードは、セカンダリノード（Secondary Node（ＳＮ））と呼ばれる。ＭＮまたはＳＮは、ｅＮＢまたはｇＮＢのいずれかであってもよく、さまざまなネットワークアーキテクチャに対応する。ＭＮとＳＮが異なるシステムの基地局に対応する場合、対応するネットワークアーキテクチャはまとめてマルチＲＡＴデュアルコネクティビティ（Multi-RAT Dual Connectivity（ＭＲ−ＤＣ））と呼ばれる。
【０００６】
既存の技術では、ＵＥはＳＮリンクを介してログＭＤＴ測定のログ情報を報告できないため、ネットワーク側がＭＤＴ測定結果を時間内に取得できず、サービスパフォーマンスにさらに影響を与える可能性がある。
【発明の概要】
【０００７】
本開示の実施形態により、ＭＤＴ測定ログを時間内に報告できる。
【０００８】
本開示の一実施形態では、ＭＤＴ測定ログ送信方法であって、第１のシグナリングベアラを介してネットワーク側に利用可能性表示を送信することと、第２のシグナリングベアラを介して前記ネットワーク側からレポート表示メッセージを受信することと、第３のシグナリングベアラを決定し、前記第３のシグナリングベアラを介して前記ネットワーク側にログＭＤＴ測定のログ情報を送信することと、を含み、前記利用可能性表示は、ログＭＤＴ測定の前記ログ情報が格納されたことを前記ネットワーク側に示すように使用され、前記レポート表示メッセージは、ログＭＤＴ測定の前記ログ情報を報告することを示すために使用される、ＭＤＴ測定ログ送信方法が提供される。
【０００９】
選択的に、前記第３のシグナリングベアラを決定することは、前記第２のシグナリングベアラに基づいて前記第３のシグナリングベアラを決定することを含む。
【００１０】
選択的に、前記第２のシグナリングベアラに基づいて前記第３のシグナリングベアラを決定することは、前記第３のシグナリングベアラが前記第２のシグナリングベアラと同じであることを含む。
【００１１】
選択的に、前記第３のシグナリングベアラを決定することは、前記ネットワーク側から無線リソース制御（Radio Resource Control（ＲＲＣ））シグナリングを受信することと、前記ＲＲＣシグナリングに基づいて前記第３のシグナリングベアラを決定することと、を含み、前記ＲＲＣシグナリングは、前記第３のシグナリングベアラの関連情報を含む。
【００１２】
選択的に、前記第３のシグナリングベアラの前記関連情報は、少なくとも１つの無線アクセス技術（Radio Access Technology（ＲＡＴ））タイプおよび少なくとも１つの対応するシグナリングベアラを含む。
【００１３】
選択的に、前記第３のシグナリングベアラの前記関連情報は、データサイズの閾値を含む。
【００１４】
選択的に、前記ＲＲＣシグナリングに基づいて前記第３のシグナリングベアラを決定することは、ログＭＤＴ測定の前記ログ情報に対応するデータサイズが前記データサイズの閾値を超えたとき、ログＭＤＴ測定の前記ログ情報に対応するＲＡＴタイプおよびあらかじめ設定された基準に基づいて前記第３のシグナリングベアラを決定することを含み、前記あらかじめ設定された基準は、少なくとも１つのＲＡＴタイプおよび少なくとも１つの対応するシグナリングベアラを含む。
【００１５】
選択的に、前記第３のシグナリングベアラを決定することは、ログＭＤＴ測定の前記ログ情報に対応するＲＡＴタイプおよびあらかじめ設定された基準に基づいて前記第３のシグナリングベアラを決定することを含み、前記あらかじめ設定された基準は、少なくとも１つのＲＡＴタイプおよび少なくとも１つの対応するシグナリングベアラを含む。
【００１６】
選択的に、前記利用可能性表示は、ログＭＤＴ測定の前記ログ情報に対応するＲＡＴタイプをさらに示す。
【００１７】
選択的に、前記ＲＡＴタイプは、２Ｇ、３Ｇ、４Ｇ、５Ｇ、または６Ｇの少なくとも１つを含む。
【００１８】
選択的に、前記第１のシグナリングベアラ、前記第２のシグナリングベアラまたは前記第３のシグナリングベアラは、シグナリング無線ベアラ（Signaling Radio Bearer（ＳＲＢ））またはスプリットＳＲＢのいずれか１つを含む。
【００１９】
選択的に、前記ＳＲＢは、ＳＲＢ１、ＳＲＢ２またはＳＲＢ３のいずれか１つを含む。
【００２０】
選択的に、前記スプリットＳＲＢは、スプリットＳＲＢ１またはスプリットＳＲＢ２のいずれか１つを含む。
【００２１】
本開示の一実施形態では、第１のシグナリングベアラを介してネットワーク側に利用可能性表示を送信するように構成された第１の送信回路であって、前記利用可能性表示は、ログＭＤＴ測定のログ情報が格納されたことを前記ネットワーク側に示すために使用される、第１の送信回路と、第２のシグナリングベアラを介して前記ネットワーク側からレポート表示メッセージを受信するように構成された受信回路であって、前記レポート表示メッセージは、ログＭＤＴ測定の前記ログ情報を報告することを示すために使用される、受信回路と、第３のシグナリングベアラを決定し、前記第３のシグナリングベアラを介して前記ネットワーク側にログＭＤＴ測定の前記ログ情報を送信するように構成された第２の送信回路と、を備える、端末が提供される。
【００２２】
選択的に、前記第２の送信回路は、前記第２のシグナリングベアラに基づいて前記第３のシグナリングベアラを決定するように構成される。
【００２３】
選択的に、前記第３のシグナリングベアラは、前記第２のシグナリングベアラと同じである。
【００２４】
選択的に、前記第２の送信回路は、前記ネットワーク側からＲＲＣシグナリングを受信し、かつ前記ＲＲＣシグナリングに基づいて前記第３シグナリングベアラを決定するように構成され、前記ＲＲＣシグナリングは、前記第３のシグナリングベアラの関連情報を含む。
【００２５】
選択的に、前記第３のシグナリングベアラの前記関連情報は、少なくとも１つのＲＡＴタイプおよび少なくとも１つの対応するシグナリングベアラを含む。
【００２６】
選択的に、前記第３のシグナリングベアラの前記関連情報は、データサイズの閾値を含む。
【００２７】
選択的に、前記第２の送信回路は、ログＭＤＴ測定の前記ログ情報に対応するデータサイズが前記データサイズの閾値を超えたとき、ログＭＤＴ測定の前記ログ情報に対応するＲＡＴタイプおよびあらかじめ設定された基準に基づいて前記第３のシグナリングベアラを決定するように構成され、前記あらかじめ設定された基準は、少なくとも１つのＲＡＴタイプと少なくとも１つの対応するシグナリングベアラを含む。
【００２８】
選択的に、前記第２の送信回路は、ログＭＤＴ測定の前記ログ情報に対応するＲＡＴタイプおよびあらかじめ設定された基準に基づいて前記第３のシグナリングベアラを決定するように構成され、前記あらかじめ設定された基準は、少なくとも１つのＲＡＴタイプおよび少なくとも１つの対応するシグナリングベアラを含む。
【００２９】
選択的に、前記利用可能性表示は、ログＭＤＴ測定の前記ログ情報に対応するＲＡＴタイプをさらに示す。
【００３０】
選択的に、前記ＲＡＴタイプは、２Ｇ、３Ｇ、４Ｇ、５Ｇまたは６Ｇのうちの少なくとも１つを含む。
【００３１】
選択的に、前記第１のシグナリングベアラ、前記第２のシグナリングベアラ、または前記第３のシグナリングベアラは、ＳＲＢまたはスプリットＳＲＢのいずれか１つを含む。
【００３２】
選択的に、前記ＳＲＢは、ＳＲＢ１、ＳＲＢ２、またはＳＲＢ３のいずれか１つを含む。
【００３３】
選択的に、前記スプリットＳＲＢは、スプリットＳＲＢ１またはスプリットＳＲＢ２のいずれか１つを含む。
【００３４】
本開示の一実施形態では、コンピュータ命令が内部に記憶されている、不揮発性または非一時的なコンピュータ可読記憶媒体であって、前記コンピュータ命令が実行されると、上記方法のいずれか１つが実行される、不揮発性または非一時的なコンピュータ可読記憶媒体が提供される。
【００３５】
本開示の一実施形態では、メモリとプロセッサとを備える端末であって、前記メモリは、内部にコンピュータ命令を記憶し、前記プロセッサが前記コンピュータ命令を実行すると、上記方法のいずれか１つが実行される、端末が提供される。
【００３６】
本開示の実施形態は、以下の利点を提供し得る。
【００３７】
本開示の実施形態では、利用可能性表示は、第１のシグナリングベアラを介してネットワーク側に送信され、レポート表示メッセージは、第２のシグナリングベアラを介してネットワーク側から受信され、ログＭＤＴ測定のログ情報は、第３のシグナリングベアラを介してネットワーク側に送信される。ＭＤＴ測定ログは、ＭＮリンクまたはＳＮリンクを介して報告され得る。このようにして、ＭＤＴ測定結果を時間内に報告できる。
【００３８】
さらに、ネットワーク側は、ＲＲＣシグナリングを使用して第３のシグナリングベアラの関連情報を示す。これにより、ネットワーク負荷状態などの情報に基づいてＭＤＴ測定ログの報告経路を柔軟に示し、ユーザサービスへの影響を低減し、通信ネットワーク全体のパフォーマンスを向上させることができる。
【図面の簡単な説明】
【００３９】
【図１】図１は、一実施形態によるＭＤＴ測定ログ送信方法のフローチャートである。
【図２】図２は、一実施形態による端末の構造図である。
【発明を実施するための形態】
【００４０】
既存の技術では、ＵＥはＳＮリンクを介してログＭＤＴ測定のログ情報を報告できないため、ネットワーク側がＭＤＴ測定結果を時間内に取得できず、サービスパフォーマンスにさらに影響を与える可能性がある。
【００４１】
本開示の実施形態では、利用可能性表示は、第１のシグナリングベアラを介してネットワーク側に送信され、レポート表示メッセージは、第２のシグナリングベアラを介してネットワーク側から受信され、ログＭＤＴ測定のログ情報は、第３のシグナリングベアラを介してネットワーク側に送信される。ＭＤＴ測定ログはＭＮリンクまたはＳＮリンクを介して報告され得る。このようにして、ＭＤＴ測定結果を時間内に報告できる。
【００４２】
本開示の目的、特徴および利点を明確にするために、本開示の実施形態を、添付の図面と併せて詳細に説明する。
【００４３】
図１は、一実施形態による、ＭＤＴ測定ログ送信方法のフローチャートである。図１を参照すると、この方法は、ステップＳ１０１、ステップＳ１０２およびステップＳ１０３を含み得る。
【００４４】
ステップＳ１０１では、利用可能性表示は、第１のシグナリングベアラを介してネットワーク側に送信され、利用可能性表示は、ログＭＤＴ測定のログ情報が格納されたことをネットワーク側に示すために使用される。
【００４５】
既存の技術では、ＭＲ−ＤＣシナリオ、つまりＭＮとＳＮが異なる通信システムの基地局である場合、ログＭＤＴ測定のログ情報をＳＮリンクを介して報告できないため、ネットワーク側がＭＤＴ測定結果を時間内に取得できず、サービスパフォーマンスにさらに影響を与える可能性がある。したがって、本開示の実施形態では、利用可能性表示をネットワーク側に報告し、ネットワーク側からレポート表示メッセージを受信し、ログＭＤＴ測定のログ情報を報告することが検討されている。
【００４６】
いくつかの実施形態では、ＮＲ−ＤＣシナリオの場合、ＳＲＢは、ＵＥとＭＮとの間に確立され、スプリットＳＲＢは、ＵＥとＳＮとの間に確立される。既存の手法では、ログＭＤＴ測定のログ情報をＳＮリンクで報告できないため、ネットワーク側がＭＤＴ測定結果を時間内に取得できず、サービスのパフォーマンスに影響を与える可能性がある。したがって、本開示の実施形態では、利用可能性表示をネットワーク側に報告し、ネットワーク側からレポート表示メッセージを受信し、ログＭＤＴ測定のログ情報を報告することが検討されている。
【００４７】
いくつかの実施形態において、第１のシグナリングベアラは、ＳＲＢを含んでもよく、またはスプリットＳＲＢを含んでもよい。
【００４８】
いくつかの実施形態では、第１のシグナリングベアラがＳＲＢを含む場合、第１のシグナリングベアラは、ＳＲＢ１、ＳＲＢ２またはＳＲＢ３のいずれ１つを含んでもよい。
【００４９】
いくつかの実施形態では、第１のシグナリングベアラがスプリットＳＲＢを含む場合、第１のシグナリングベアラは、スプリットＳＲＢ１またはスプリットＳＲＢ２を含んでもよい。
【００５０】
いくつかの実施形態では、ＵＥは、例えば、ＳＮ  ＲＲＣ再構成完了（Reconfiguration Complete）メッセージ、ＳＮ  ＲＲＣ測定レポート（Measurement Report）メッセージ、ＲＲＣ接続再構成完了（Connection Reconfiguration Complete）メッセージ、ＲＲＣ接続再確立完了（Connection Reestablishment Complete）メッセージ、ＲＲＣ接続再開完了（Connection Resume Complete）メッセージ、ＲＲＣ接続設定完了（Connection Setup Complete）メッセージまたはＵＥ情報応答（UE Information Response）メッセージを通じて、利用可能性表示を伝達するために、第１のシグナリングベアラを介してアップリンクＲＲＣシグナリングを送信してもよい。これらは、本開示の実施形態に限定されない。
【００５１】
いくつかの実施形態では、第１のシグナリングベアラは、ＭＮまたはＳＮに対応でき、すなわち、第１のシグナリングベアラは、ＭＮのリンクまたはＳＮのリンクに属してもよい。
【００５２】
いくつかの実施形態では、ＵＥが第１のシグナリングベアラを介して利用可能性表示をネットワーク側に送信する場合、ログＭＤＴ測定のログ情報に対応するＲＡＴタイプ、すなわち、ログＭＤＴ測定のログ情報が属するＲＡＴタイプ、は、また、伝達され得る。利用可能性表示を受信した後、ネットワーク側は、報告され得るＲＡＴタイプがＵＥに格納されていることに対応するログＭＤＴ測定のログ情報を学習する。例えば、ログＭＤＴ測定のログ情報に対応するＲＡＴタイプはＬＴＥおよび５Ｇを含み、ネットワーク側は、ＵＥが、報告され得るＬＴＥおよび５ＧシステムのログＭＤＴ測定を保存することを学習する。
【００５３】
いくつかの実施形態では、ＲＡＴタイプは、２Ｇ、３Ｇ、４Ｇ、５Ｇおよび６Ｇの１つ以上であってもよい。
【００５４】
いくつかの実施形態では、２Ｇは、ＧＳＭ（Global System for Mobile Communication）システムであってもよい。３Ｇは、ＵＭＴＳ（Universal Mobile Telecommunications System）または符号分割多重接続（ＣＤＭＡ）（Code Division Multiple Access）システムであってもよい。４Ｇは、ＬＴＥシステムであってもよい。
【００５５】
ステップＳ１０２では、レポート表示メッセージは、第２のシグナリングベアラを介してネットワーク側から受信され、レポート表示メッセージは、ログＭＤＴ測定のログ情報を報告することを示すために使用される。
【００５６】
いくつかの実施形態では、第２のシグナリングベアラは、ＳＲＢまたはスプリットＳＲＢを含んでもよい。
【００５７】
いくつかの実施形態では、第２のシグナリングベアラがＳＲＢを含む場合、第２のシグナリングベアラは、ＳＲＢ１、ＳＲＢ２またはＳＲＢ３のいずれか１つを含んでもよい。
【００５８】
いくつかの実施形態では、第２のシグナリングベアラがスプリットＳＲＢを含む場合、第２のシグナリングベアラは、スプリットＳＲＢ１またはスプリットＳＲＢ２を含んでもよい。
【００５９】
いくつかの実施形態では、第２のシグナリングベアラは、ＭＮまたはＳＮに対応でき、すなわち、第２のシグナリングベアラは、ＭＮのリンクまたはＳＮのリンクに属してもよい。
【００６０】
いくつかの実施形態では、ＵＥは、例えば、ＳＮ  ＲＲＣ再構成完了メッセージ、ＳＮ測定レポートメッセージ、ＲＲＣ接続再構成完了メッセージ、ＲＲＣ接続再確立完了メッセージ、ＲＲＣ接続再開完了メッセージ、ＲＲＣ接続設定完了メッセージまたはＵＥ情報応答メッセージを通じて、利用可能性表示を伝達するために、第１のシグナリングベアラを介してアップリンクＲＲＣシグナリングを送信してもよい。これらは、本開示の実施形態に限定されない。
【００６１】
いくつかの実施形態では、ネットワーク側は、レポート表示メッセージを伝達するために、第２のシグナリングベアラを介してダウンリンクＲＲＣシグナリングを送信できる。例えば、ＵＥによって報告された利用可能性表示を受信し、格納されたログＭＤＴ測定を報告するようにＵＥに要求することを決定した後、ネットワーク側は、ＵＥにＲＲＣメッセージを送信して、格納されたログＭＤＴ測定を報告するようにＵＥに要求する。
【００６２】
いくつかの実施形態では、ネットワーク側は、ＵＥ情報要求（Information Request）メッセージを介してレポート表示メッセージを送信できる。ＵＥ情報要求メッセージを受信した後、ＵＥは、ログＭＤＴ測定を、ＵＥ情報応答メッセージを介してネットワーク側に報告する。
【００６３】
ステップＳ１０３では、第３のシグナリングベアラが決定され、ログＭＤＴ測定のログ情報が、第３のシグナリングベアラを介してネットワーク側に送信される。
【００６４】
いくつかの実施形態では、第３のシグナリングベアラは、ＳＲＢまたはスプリットＳＲＢを含んでもよい。
【００６５】
いくつかの実施形態では、第３のシグナリングベアラがＳＲＢを含む場合、第３のシグナリングベアラは、ＳＲＢ１、ＳＲＢ２またはＳＲＢ３のいずれか１つを含んでもよい。
【００６６】
いくつかの実施形態では、第３のシグナリングベアラがスプリットＳＲＢを含む場合、第３のシグナリングベアラは、スプリットＳＲＢ１またはスプリットＳＲＢ２を含んでもよい。
【００６７】
いくつかの実施形態では、第３のシグナリングベアラは、ＭＮまたはＳＮに対応でき、すなわち、第３のシグナリングベアラは、ＭＮのリンクまたはＳＮのリンクに属してもよい。
【００６８】
いくつかの実施形態では、第３のシグナリングベアラを決定するための３つの方法がある。１つ目は、第２のシグナリングベアラに基づいて第３のシグナリングベアラを決定することである。例えば、第２のシグナリングベアラがＳＲＢ２である場合、第３のシグナリングベアラもＳＲＢ２である。２つ目は、ネットワーク側から送信されたＲＲＣシグナリングに基づいて第３のシグナリングベアラを決定することである。３つ目は、ログＭＤＴ測定のログ情報に対応するＲＡＴタイプとあらかじめ設定された基準に基づいて、第３のシグナリングベアラを決定することである。
【００６９】
いくつかの実施形態では、第３のシグナリングベアラを決定することは、第２のシグナリングベアラに基づいて第３のシグナリングベアラを決定することを含む。
【００７０】
いくつかの実施形態において、第２のシグナリングベアラに基づいて第３のシグナリングベアラを決定することは、第３のシグナリングベアラは、第２のシグナリングベアラと同じであるということを含む。
【００７１】
いくつかの実施形態では、ネットワーク側によって送信されるＵＥ情報要求メッセージで使用されるＳＲＢは、ＵＥがログにログＭＤＴ測定を報告するための経路を示すために使用され得る。例えば、ネットワーク側がＳＲＢ３を介してＵＥ情報要求メッセージを発行した場合、ＵＥはＳＲＢ３を使用してログＭＤＴ測定を報告する。ネットワーク側がＳＲＢ２を介してＵＥ情報要求メッセージを発行した場合、ＵＥはＳＲＢ２を使用してログＭＤＴ測定を報告する。ネットワーク側がスプリットＳＲＢ１を介してＵＥ情報要求メッセージを発行した場合、ＵＥはスプリットＳＲＢ１を使用してログＭＤＴ測定を報告する。ネットワーク側がスプリットＳＲＢ２を介してＵＥ情報要求メッセージを発行した場合、ＵＥはスプリットＳＲＢ２を使用してログＭＤＴ測定を報告する。
【００７２】
いくつかの実施形態では、第３のシグナリングベアラを決定することは、ネットワーク側からＲＲＣシグナリングを受信することと、ＲＲＣシグナリングに基づいて第３のシグナリングベアラを決定することを含む。ここで、ＲＲＣシグナリングは、第３のシグナリングベアラの関連情報を含む。例えば、ネットワーク側が、ＲＲＣシグナリングを通じてＳＲＢ３を介してＳＮのＲＡＴタイプのログＭＤＴ測定を報告するようにＵＥを構成する場合、ＵＥはＳＲＢ３を介してＳＮのＲＡＴタイプのログＭＤＴ測定を報告できる。
【００７３】
例えば、ネットワーク側が、ＲＲＣシグナリングを通じてＳＲＢ２を介してＭＮのＲＡＴタイプのログＭＤＴ測定を報告するようにＵＥを構成する場合、ＵＥはＳＲＢ２を介してＭＮのＲＡＴタイプのログＭＤＴ測定を報告できる。
【００７４】
いくつかの実施形態では、ＮＲ−ＤＣシナリオ（すなわち、ＭＮおよびＳＮについて同じＲＡＴタイプのシナリオ）の場合、第３のシグナリングベアラの関連情報は、ＲＡＴタイプの関連情報を含まなくてもよい。ＭＲ−ＤＣシナリオ（すなわち、ＭＮのＲＡＴタイプがＳＮのＲＡＴタイプと異なるシナリオ）の場合、第３のシグナリングベアラの関連情報には、ＲＡＴタイプの関連情報が含まれてもよい。
【００７５】
いくつかの実施形態では、第３のシグナリングベアラの関連情報は、少なくとも１つのＲＡＴタイプおよび少なくとも１つの対応するシグナリングベアラを含んでもよく、またはデータサイズの閾値を含んでもよい。
【００７６】
いくつかの実施形態では、ＲＲＣシグナリングに基づいて第３のシグナリングベアラを決定することは、ログＭＤＴ測定のログ情報に対応するデータサイズがデータサイズの閾値を超えるとき、ログＭＤＴ測定のログ情報に対応するＲＡＴタイプおよびあらかじめ設定された基準に基づいて第３のシグナリングベアラを決定することを含む。あらかじめ設定された基準は、少なくとも１つのＲＡＴタイプおよび少なくとも１つの対応するシグナリングベアラを含む。
【００７７】
例えば、ネットワーク側はＵＥに対してデータサイズの閾値を設定する。ＵＥに格納されたログＭＤＴ測定のデータサイズがデータサイズの閾値以上である場合、ＵＥは、ＭＮとＳＮの経路（つまり、ＭＮとＳＮに対応するシグナリングベアラ）を選択し、あらかじめ設定された基準に基づいて報告する。ＵＥに格納されたログＭＤＴ測定のデータサイズがデータサイズの閾値よりも小さい場合、ＵＥは、経路（すなわち、シグナリングベアラ）を選択し、ログＭＤＴ測定をそれ自体によって報告する。
【００７８】
別の例として、ネットワーク側は、ＵＥに対してデータサイズの閾値を設定する。ＵＥに格納されたログＭＤＴ測定のデータサイズがデータサイズの閾値以上である場合、ＵＥは、ＭＮの経路（すなわち、ＭＮに対応するシグナリングベアラ）を選択し、あらかじめ設定された基準に基づいて報告する。ＵＥに格納されたログＭＤＴ測定のデータサイズがデータサイズの閾値よりも小さい場合、ＵＥはＳＮの経路（すなわち、ＳＮに対応するシグナリングベアラ）を選択し、ログＭＤＴ測定を報告する。
【００７９】
別の例として、ネットワーク側は、ＵＥに対してデータサイズの閾値を設定する。ＵＥに格納されたログＭＤＴ測定のデータサイズがデータサイズの閾値以上である場合、ＵＥは、ＳＮの経路（すなわち、ＳＮに対応するシグナリングベアラ）を選択し、あらかじめ設定された基準に基づいて報告する。ＵＥに格納されたログＭＤＴ測定のデータサイズがデータサイズの閾値よりも小さい場合、ＵＥは、ＭＮの経路（すなわち、ＭＮに対応するシグナリングベアラ）を選択し、ログＭＤＴ測定を報告する。
【００８０】
ネットワーク側はＲＲＣシグナリングを使用して、第３のシグナリングベアラの関連情報を示す。これにより、ネットワーク負荷状態などの情報に基づいてＭＤＴ測定ログの報告経路を柔軟に示し、ユーザサービスへの影響を減らし、通信ネットワーク全体のパフォーマンスを向上させることができる。
【００８１】
いくつかの実施形態では、第３のシグナリングベアラを決定することは、ログＭＤＴ測定のログ情報に対応するＲＡＴタイプおよびあらかじめ設定された基準に基づいて第３のシグナリングベアラを決定することを含む。あらかじめ設定された基準は、少なくとも１つのＲＡＴタイプおよび少なくとも１つの対応するシグナリングベアラを含む。
【００８２】
例えば、あらかじめ設定された基準（つまり、ネットワーク側とＵＥによって事前に合意された基準）は、ＳＲＢ３を介したＳＮのＲＡＴタイプのログＭＤＴ測定を報告すること、およびＳＲＢ２を介したＭＮのＲＡＴタイプのログＭＤＴ測定を報告することを含む。ＬＴＥのログＭＤＴ測定が記憶されている場合、ＵＥは、ＭＲ−ＤＣ内のＭＮおよびＳＮからＬＴＥ基地局を介してログＭＤＴ測定を報告できる。５ＧのログＭＤＴ測定が記憶されている場合、ＵＥはＭＲ−ＤＣ内のＭＮおよびＳＮから５Ｇ基地局を介してログＭＤＴ測定を報告できる。
【００８３】
いくつかの実施形態では、ネットワーク側は、ＵＥのためにＳＲＢを構成するか、ＵＥのためにスプリットＳＲＢを構成するか、またはＵＥのためにＳＲＢとスプリットＳＲＢとの両方を構成でき、いずれも上記のＭＤＴ測定ログ送信方法を使用できる。
【００８４】
上記の実施形態により、利用可能性表示は、第１のシグナリングベアラを介してネットワーク側に送信される。レポート表示メッセージは、第２のシグナリングベアラを介してネットワーク側から受信される。ログＭＤＴ測定のログ情報は、第３のシグナリングベアラを介してネットワーク側に送信される。ＭＤＴ測定ログは、ＭＮリンクまたはＳＮリンクを介して報告され得る。このようにして、ＭＤＴ測定結果は、時間内に報告され得る。
【００８５】
当業者が本開示をよりよく理解し、実施することを可能にするために、本開示の一実施形態は、図２に示されるように、上記のＭＤＴ測定ログ送信方法を実行できる端末をさらに提供する。
【００８６】
図２を参照すると、端末２０は、第１の送信回路２１、受信回路２２、および第２の送信回路２３を含み得る。
【００８７】
第１の送信回路２１は、第１のシグナリングベアラを介してネットワーク側に利用可能性表示を送信するように構成される。利用可能性表示は、ログＭＤＴ測定のログ情報が格納されたことをネットワーク側に示すために使用される。
【００８８】
受信回路２２は、第２のシグナリングベアラを介してネットワーク側からレポート表示メッセージを受信するように構成される。レポート表示メッセージは、ログＭＤＴ測定のログ情報を報告することを示すために使用される。
【００８９】
第２の送信回路２３は、第３のシグナリングベアラを決定し、ログＭＤＴ測定のログ情報を第３のシグナリングベアラを介してネットワーク側に送信するように構成される。
【００９０】
いくつかの実施形態では、第２の送信回路２３は、第２のシグナリングベアラに基づいて第３のシグナリングベアラを決定するように構成される。
【００９１】
いくつかの実施形態では、第３のシグナリングベアラは、第２のシグナリングベアラと同じである。
【００９２】
いくつかの実施形態では、第２の送信回路２３は、ネットワーク側からＲＲＣシグナリングを受信し、ＲＲＣシグナリングに基づいて第３のシグナリングベアラを決定するように構成される。ＲＲＣシグナリングは、第３のシグナリングベアラの関連情報を含む。
【００９３】
いくつかの実施形態では、第３のシグナリングベアラの関連情報は、少なくとも１つのＲＡＴタイプおよび少なくとも１つの対応するシグナリングベアラを含む。
【００９４】
いくつかの実施形態では、第３のシグナリングベアラの関連情報は、データサイズの閾値を含む。
【００９５】
いくつかの実施形態では、第２の送信回路２３は、ログＭＤＴ測定のログ情報に対応するデータサイズがデータサイズの閾値を超える場合、ログＭＤＴ測定のログ情報に対応するＲＡＴタイプおよびあらかじめ設定された基準に基づいて第３のシグナリングベアラを決定するように構成される。あらかじめ設定された基準は、少なくとも１つのＲＡＴタイプおよび少なくとも１つの対応するシグナリングベアラを含む。
【００９６】
いくつかの実施形態では、第２の送信回路２３は、ログＭＤＴ測定のログ情報に対応するＲＡＴタイプおよびあらかじめ設定された基準に基づいて第３のシグナリングベアラを決定するように構成される。あらかじめ設定された基準は、少なくとも１つのＲＡＴタイプおよび少なくとも１つの対応するシグナリングベアラを含む。
【００９７】
いくつかの実施形態では、利用可能性表示は、ログＭＤＴ測定のログ情報に対応するＲＡＴタイプをさらに示す。
【００９８】
いくつかの実施形態では、ＲＡＴタイプは、２Ｇ、３Ｇ、４Ｇ、５Ｇまたは６Ｇのうちの少なくとも１つを含む。
【００９９】
いくつかの実施形態では、第１のシグナリングベアラ、第２のシグナリングベアラ、または第３のシグナリングベアラは、ＳＲＢまたはスプリットＳＲＢのいずれか１つを含む。
【０１００】
いくつかの実施形態では、ＳＲＢは、ＳＲＢ１、ＳＲＢ２またはＳＲＢ３のいずれか１つを含む。
【０１０１】
いくつかの実施形態では、スプリットＳＲＢは、スプリットＳＲＢ１またはスプリットＳＲＢ２のいずれか１つを含む。
【０１０２】
端末２０の作業手順および原理の詳細は、上記の方法の説明に記載されており、ここでは詳細に説明されていない。
【０１０３】
本開示の一実施形態では、コンピュータ命令が格納された不揮発性または非一時的なコンピュータ可読記憶媒体が提供され、コンピュータ命令が実行されると、上記の方法のいずれか１つが実行される。
【０１０４】
本開示の一実施形態では、メモリとプロセッサを含む端末が提供され、メモリにはコンピュータ命令が格納され、プロセッサがコンピュータ命令を実行すると、上記の方法のいずれか１つが実行される。
【０１０５】
当業者は、上記の実施形態の様々な方法におけるステップの全部または一部が、関連するハードウェアに指示するプログラムによって完了され得、プログラムが任意のコンピュータ可読記憶媒体に記憶され得ることを理解できる。記憶媒体は、読み取り専用メモリ（ＲＯＭ）、ランダムアクセスメモリ（ＲＡＭ）、磁気ディスク、または光ディスクを含み得る。
【０１０６】
本開示は、その好ましい実施形態を参照して上記で開示されてきたが、本開示は、限定ではなく例としてのみ提示されることを理解すべきである。当業者は、本開示の精神および範囲から逸脱することなく、実施形態を修正および変更できる。
【図１】
2022502887.tif 000003
【図２】
2022502887.tif 000004
【国際調査報告】
2022502887.tif 000005
2022502887.tif 000006
2022502887.tif 000007
2022502887.tif 000008